(57)【要約】【課題】Ｗｅｂアプリ側が、クライアントのハードウェアやＯＳを操作することができ、セキュリティの問題も発生せず、監視すべき被監視装置の状態を、Ｗｅｂサーバを介して、集中監視することができる集中監視システムを提供する。【解決手段】Ｗｅｂサーバ２０上で作動し、被監視装置１６の動作情報データを受信するとともに、被監視装置１６の動作状態を制御するＷｅｂアプリケーション２８と、Ｗｅｂサーバ２０上で作動し、端末監視装置２６に対して、異常発生通知を行う異常発生通知プログラム３２を備え、端末監視装置２６が、端末監視装置２６上で端末監視装置２６のブラウザ３０とは別個に作動する端末監視プログラム３６を備え、端末監視プログラム３６が、異常発生通知プログラム３２から異常発生通知を受信した際に、端末監視装置２６に対して所定の動作を行うよう指示する。【選択図】図３
2015204040.tif 000002
【特許請求の範囲】
【請求項１】
監視すべき被監視装置の状態を、Ｗｅｂサーバを介して、集中監視するための集中監視システムであって、
前記被監視装置と通信手段を介して接続されたＷｅｂサーバを備えた集中監視装置と、
前記集中監視装置のＷｅｂサーバと通信手段を介して接続された端末監視装置とを備え、
前記Ｗｅｂサーバが、
前記Ｗｅｂサーバ上で作動し、被監視装置からの被監視装置の動作情報データを受信するとともに、受信した動作情報データに基づいて、被監視装置の動作状態を制御するＷｅｂアプリケーションと、
前記Ｗｅｂサーバ上で作動し、前記Ｗｅｂアプリケーションが、受信した動作情報データに異常が発生したと判断した場合に、前記端末監視装置に対して、異常発生通知を行う異常発生通知プログラムとを備え、
前記端末監視装置が、端末監視装置上で端末監視装置のブラウザとは別個に作動する端末監視プログラムを備えており、
前記端末監視プログラムが、前記異常発生通知プログラムから異常発生通知を受信した際に、前記Ｗｅｂサーバの異常発生通知プログラムからの異常発生通知に応じて、端末監視装置に対して所定の動作を行うよう指示するように構成したことを特徴とする集中監視システム。
【請求項２】
前記端末監視プログラムが、所定の間隔で異常発生通知プログラムに対して、異常発生通知があるか否かを問い合わせて、異常発生通知プログラムに対して異常発生通知要求を行うポーリングを実施するように構成され、
前記端末監視プログラムが、前記ポーリングの結果、前記異常発生通知プログラムから異常発生通知を受信した際に、前記Ｗｅｂサーバの異常発生通知プログラムからの異常発生通知に応じて、端末監視装置に対して所定の動作を行うよう指示するように構成したことを特徴とする請求項１に記載の集中監視システム。
【請求項３】
前記端末監視プログラムが、前記異常発生通知プログラムから異常発生通知を受信した際に、前記Ｗｅｂサーバの異常発生通知プログラムからの異常発生通知に応じて、端末監視装置のオペレーティングシステムに対して、端末監視装置のスリープ状態の解除を指示するように構成したことを特徴とする請求項１から２のいずれかに記載の集中監視システム。
【請求項４】
前記被監視装置が、空気調和機であることを特徴とする請求項１から３のいずれかに記載の集中監視システム。
【請求項５】
監視すべき被監視装置の状態を、Ｗｅｂサーバを介して、集中監視するための集中監視システムに用いられる集中監視装置であって、
前記被監視装置と通信手段を介して接続されたＷｅｂサーバを備え、
前記Ｗｅｂサーバが、
前記Ｗｅｂサーバ上で作動し、被監視装置からの被監視装置の動作情報データを受信するとともに、受信した動作情報データに基づいて、被監視装置の動作状態を制御するＷｅｂアプリケーションと、
前記Ｗｅｂサーバ上で作動し、前記Ｗｅｂアプリケーションが、受信した動作情報データに異常が発生したと判断した場合に、前記Ｗｅｂサーバと通信手段を介して接続された端末監視装置に対して、異常発生通知を行う異常発生通知プログラムとを備えることを特徴とする集中監視装置。
【請求項６】
前記端末監視装置が、端末監視装置上で端末監視装置のブラウザとは別個に作動する端末監視プログラムを備えており、
前記端末監視プログラムが、前記異常発生通知プログラムから異常発生通知を受信した際に、前記Ｗｅｂサーバの異常発生通知プログラムからの異常発生通知に応じて、端末監視装置に対して所定の動作を行うよう指示するように構成した端末監視プログラムであって、
前記集中監視装置の異常発生通知プログラムが、前記端末監視プログラムに対して、異常発生通知を行うように構成したことを特徴とする請求項５に記載の集中監視装置。
【請求項７】
前記端末監視プログラムが、所定の間隔で異常発生通知プログラムに対して、異常発生通知があるか否かを問い合わせて、異常発生通知プログラムに対して異常発生通知要求を行うポーリングを実施するように構成され、
前記端末監視プログラムが、前記ポーリングの結果、前記異常発生通知プログラムから異常発生通知を受信した際に、前記Ｗｅｂサーバの異常発生通知プログラムからの異常発生通知に応じて、端末監視装置に対して所定の動作を行うよう指示するように構成したことを特徴とする請求項６に記載の集中監視装置。
【請求項８】
前記被監視装置が、空気調和機であることを特徴とする請求項５から７のいずれかに記載の集中監視装置。
【請求項９】
監視すべき被監視装置の状態を、Ｗｅｂサーバを介して、集中監視するための集中監視システムに用いられる端末監視装置であって、
前記被監視装置と通信手段を介して接続された集中監視装置のＷｅｂサーバと通信手段を介して接続された端末監視装置であり、
前記Ｗｅｂサーバが、
前記Ｗｅｂサーバ上で作動し、被監視装置からの被監視装置の動作情報データを受信するとともに、受信した動作情報データに基づいて、被監視装置の動作状態を制御するＷｅｂアプリケーションと、
前記Ｗｅｂサーバ上で作動し、前記Ｗｅｂアプリケーションが、受信した動作情報データに異常が発生したと判断した場合に、前記端末監視装置に対して、異常発生通知を行う異常発生通知プログラムとを備え、
前記端末監視装置が、端末監視装置上で端末監視装置のブラウザとは別個に作動する端末監視プログラムを備えており、
前記端末監視プログラムが、前記異常発生通知プログラムから異常発生通知を受信した際に、前記Ｗｅｂサーバの異常発生通知プログラムからの異常発生通知に応じて、端末監視装置に対して所定の動作を行うよう指示するように構成したことを特徴とする端末監視装置。
【請求項１０】
前記端末監視プログラムが、所定の間隔で異常発生通知プログラムに対して、異常発生通知があるか否かを問い合わせて、異常発生通知プログラムに対して異常発生通知要求を行うポーリングを実施するように構成され、
前記端末監視プログラムが、前記ポーリングの結果、前記異常発生通知プログラムから異常発生通知を受信した際に、前記Ｗｅｂサーバの異常発生通知プログラムからの異常発生通知に応じて、端末監視装置に対して所定の動作を行うよう指示するように構成したことを特徴とする請求項９に記載の端末監視装置。
【請求項１１】
前記端末監視プログラムが、前記異常発生通知プログラムから異常発生通知を受信した際に、前記Ｗｅｂサーバの異常発生通知プログラムからの異常発生通知に応じて、端末監視装置のオペレーティングシステムに対して、端末監視装置のスリープ状態の解除を指示するように構成したことを特徴とする請求項９から１０のいずれかに記載の端末監視装置。
【請求項１２】
前記被監視装置が、空気調和機であることを特徴とする請求項９から１１のいずれかに記載の端末監視装置。
【発明の詳細な説明】
【技術分野】
【０００１】
本発明は、例えば、エアコン、冷凍庫、冷蔵庫、園芸用のビニールハウス、ショーケースなどの空気調和機（以下、単に「空気調和機」と言う）、石油プラント、化学プラント、ガス設備、電気事業設備などにおける各種機械装置など、監視すべき被監視装置の状態を、Ｗｅｂサーバを介して、集中監視するための集中監視システム、そのための集中監視装置、ならびに、端末監視装置に関する。
【背景技術】
【０００２】
従来、この種の集中監視すべきシステムとしては、特許文献１（特開２００５−２９１６１０号公報）に、空調制御監視装置が開示されている。
【０００３】
すなわち、特許文献１の空調制御監視装置は、例えば、ビルに設置された空気調和機の運転制御を行うとともに、空気調和機の運転状態を監視する空調制御監視装置が開示されている。この特許文献１には、ネットワークを介して接続され、ＷＥＢブラウザを備えたクライアント端末に対して、空気調和機の運転状態情報を提供する空調制御監視装置が開示されている。
【０００４】
具体的には、特許文献１の空調制御監視装置では、画面データ作成部が、ＨＴＭＬによりスケジュール画面データを作成している。これにより、ＷＥＢブラウザが搭載されたクライアント端末であれば、スケジュール画面データを解析し、表示させることが可能となる。
【０００５】
従って、所定のソフトウェアをインストール等の煩雑な作業を伴うことなく、また、セキュリティレベルに影響を与えることなく、非常に簡単にスケジュール表示画面をクライアント端末に表示させることができるという効果を奏するものである。
【０００６】
また、特許文献２（特開２００６−１８４９４８公報）には、ローカル機器コントローラを用いた遠隔監視システムが開示されている。
【０００７】
すなわち、特許文献２の遠隔監視システムにおいては、ローカル機器コントローラが開示されている。このローカル機器コントローラは、ローカル機器の警報発生があるとカウント値をインクリメントし、警報発生状態が復旧するとデクリメントする現状態カウンタを備えている。
【０００８】
また、ローカル機器コントローラは、ローカル機器が復旧している状態から警報発生状態へ変化した回数と、警報発生状態から復旧した回数の総数をカウントする状態変化カウンタを備えている。
【０００９】
そして、Ｗｅｂブラウザ搭載型端末から周期的に繰り返される配信要求毎に、前回の配信要求時の現状態カウンタと、状態変化カウンタのカウント値と、今回の配信要求時のカウント値とを用いて、Ｗｅｂブラウザ搭載型端末において、警報鳴動するか必要ないかを決定するようになっている。
さらに、特許文献３（特開２００２−１３５３１４公報）には、制御局がポーリング方式により端末局の非同期パケット送信の制御を行う、通信ネットワークにおける通信制御方法が開示されている。
【００１０】
すなわち、特許文献３では、ある端末局が他の端末局に対し非同期パケットを送信しようとした時に、送信先端末局がスリープモードであったとしても、送信側端末局は何ら特別な処理を必要とせずに通信を行うことができる通信制御方法を提供するものである。
【００１１】
具体的には、端末局から制御局へのポーリング要求メッセージに、送信先の局ＩＤを含め、ポーリング要求メッセージを受け取った制御局は、その局ＩＤで示された送信先端末局の動作状態を確認し、送信先端末局がスリープモードにあると確認された場合には、制御局が、送信先端末局にスリープ解除要求を行うように構成されている。
【００１２】
そして、送信先端末局がアクティブモードに遷移したことを確認した後に、ポーリング要求のあった送信側端末局に対してポーリングを行うように構成されている。
【先行技術文献】
【特許文献】
【００１３】
【特許文献１】特開２００５−２９１６１０号公報
【特許文献２】特開２００６−１８４９４８公報
【特許文献３】特開２００２−１３５３１４公報
【特許文献４】特開２００６−２９７６９号公報
【発明の概要】
【発明が解決しようとする課題】
【００１４】
図５は、従来のＷｅｂサーバ２００とクライアント側端末２０２との関係を説明する概略図である。
【００１５】
図５に示したように、Ｗｅｂサーバ２００とクライアント側端末２０２とは、Ｗｅｂサーバ２００のＷｅｂアプリケーション２０４で作成されたＨＴＭＬデータを、例えば、ネットワーク、インターネットなどの通信手段２０６を介して、クライアント側端末２０２に備えられたブラウザ２０８で表示するなどにより使用している。
【００１６】
この場合、Ｗｅｂサーバ２００上で動作するアプリケーション（Ｗｅｂアプリ）２０４を、クライアント側端末２０２のブラウザ２０８を介して操作する場合、Ｗｅｂサーバ２００のＷｅｂアプリケーション２０４側が、クライアント側端末２０２のブラウザ２０８を介して、クライアント側端末２０２のハードウェアやＯＳ（オペレーティングシステム）２１０を直接操作することは、セキュリティの問題から許可されていない。
【００１７】
例えば、Ｗｅｂサーバ２００のＷｅｂアプリケーション２０４上で警報表示を行っても、クライアント側端末２０２がスリープ状態にある場合には、クライアント側端末２０２では、画面が表示されず、操作者が警報に気づかない可能性がある。
【００１８】
特許文献１の空調制御監視装置では、ネットワークを介して接続され、ＷＥＢブラウザを備えたクライアント端末に対して、空気調和機の運転状態情報を提供する空調制御監視装置が開示されている。
【００１９】
しかしながら、特許文献１の空調制御監視装置においても、Ｗｅｂサーバ側である空調制御監視装置が、クライアント端末のハードウェアやＯＳ（オペレーティングシステム）を直接操作することは、セキュリティの問題から許可されていない。
【００２０】
従って、特許文献１の空調制御監視装置においては、空調制御監視装置上で警報表示を行っても、クライアントがスリープ状態にある場合には、クライアント側端末では、画面が表示されず、操作者が警報に気づかない可能性がある。
【００２１】
特許文献２の遠隔監視システムにおいては、Ｗｅｂサーバ側であるローカル機器コントローラが、Ｗｅｂブラウザ搭載型端末から周期的に繰り返される配信要求毎に、前回の配信要求時の現状態カウンタと、状態変化カウンタのカウント値と、今回の配信要求時のカウント値とを用いて、Ｗｅｂブラウザ搭載型端末において、警報鳴動するか必要ないかを決定するように構成されている。
【００２２】
しかしながら、この特許文献２の遠隔監視システムにおいても、特許文献１と同様に、Ｗｅｂサーバ側であるローカル機器コントローラが、Ｗｅｂブラウザ搭載型端末のハードウェアやＯＳ（オペレーティングシステム）を直接操作することは、セキュリティの問題から許可されていない。
【００２３】
従って、特許文献２の遠隔監視システムにおいても、ローカル機器コントローラ上で警報表示を行っても、Ｗｅｂブラウザ搭載型端末がスリープ状態にある場合には、クライアント側端末では、画面が表示されず、操作者が警報に気づかない可能性がある。
【００２４】
さらに、特許文献３の通信制御方法では、送信先端末局がスリープモードにあると確認された場合には、制御局が、送信先端末局にスリープ解除要求を行うように構成されている。
【００２５】
しかしながら、特許文献３の通信制御方法は、いわゆる携帯電話などの通信機器における通信制御方法に関するものである。
すなわち、特許文献３では、請求項において、無線通信ネットワークが前提と記載されており、しかも、発明の属する技術分野の欄において、制御局がポーリング方式により端末局の非同期パケット送信の制御を行う通信ネットワークにおける通信制御方法に関すると記載されている。
換言すれば、特許文献３の通信制御方法は、通信プロトコルの下位レイヤ（ＯＳＩ基本参照モデルのレイヤ２またはレイヤ３）に関するものである。
従って、特許文献３の通信制御方法は、上位の通信プロトコル（ＯＳＩ基本参照モデルのレイヤ７）を使用してＷｅｂサーバとクライアント側端末間の通信を行う監視装置に関するものでないことは明らかである。
【００２６】
本発明は、このような現状に鑑み、Ｗｅｂアプリ側がクライアント側端末のブラウザを介して、クライアントのハードウェアやＯＳ（オペレーティングシステム）を直接操作することなく、クライアントのハードウェアやＯＳを操作することができ、セキュリティの問題も発生せず、監視すべき被監視装置の状態を、Ｗｅｂサーバを介して、集中監視することができ、操作者が警報に気づかないといった問題もない集中監視システム、そのための集中監視装置、ならびに、端末監視装置を提供することを目的とする。
【課題を解決するための手段】
【００２７】
本発明は、前述したような従来技術における課題及び目的を達成するために発明されたものであって、本発明の集中監視システムは、
監視すべき被監視装置の状態を、Ｗｅｂサーバを介して、集中監視するための集中監視システムであって、
前記被監視装置と通信手段を介して接続されたＷｅｂサーバを備えた集中監視装置と、
前記集中監視装置のＷｅｂサーバと通信手段を介して接続された端末監視装置とを備え、
前記Ｗｅｂサーバが、
前記Ｗｅｂサーバ上で作動し、被監視装置からの被監視装置の動作情報データを受信するとともに、受信した動作情報データに基づいて、被監視装置の動作状態を制御するＷｅｂアプリケーションと、
前記Ｗｅｂサーバ上で作動し、前記Ｗｅｂアプリケーションが、受信した動作情報データに異常が発生したと判断した場合に、前記端末監視装置に対して、異常発生通知を行う異常発生通知プログラムとを備え、
前記端末監視装置が、端末監視装置上で端末監視装置のブラウザとは別個に作動する端末監視プログラムを備えており、
前記端末監視プログラムが、前記異常発生通知プログラムから異常発生通知を受信した際に、前記Ｗｅｂサーバの異常発生通知プログラムからの異常発生通知に応じて、端末監視装置に対して所定の動作を行うよう指示するように構成したことを特徴とする。
【００２８】
また、本発明の集中監視装置は、
監視すべき被監視装置の状態を、Ｗｅｂサーバを介して、集中監視するための集中監視システムに用いられる集中監視装置であって、
前記被監視装置と通信手段を介して接続されたＷｅｂサーバを備え、
前記Ｗｅｂサーバが、
前記Ｗｅｂサーバ上で作動し、被監視装置からの被監視装置の動作情報データを受信するとともに、受信した動作情報データに基づいて、被監視装置の動作状態を制御するＷｅｂアプリケーションと、
前記Ｗｅｂサーバ上で作動し、前記Ｗｅｂアプリケーションが、受信した動作情報データに異常が発生したと判断した場合に、前記Ｗｅｂサーバと通信手段を介して接続された端末監視装置に対して、異常発生通知を行う異常発生通知プログラムとを備えることを特徴とする。
【００２９】
また、本発明の集中監視装置は、
前記端末監視装置が、端末監視装置上で端末監視装置のブラウザとは別個に作動する端末監視プログラムを備えており、
前記端末監視プログラムが、前記異常発生通知プログラムから異常発生通知を受信した際に、前記Ｗｅｂサーバの異常発生通知プログラムからの異常発生通知に応じて、端末監視装置に対して所定の動作を行うよう指示するように構成した端末監視プログラムであって、
前記集中監視装置の異常発生通知プログラムが、前記端末監視プログラムに対して、異常発生通知を行うように構成したことを特徴とする。
【００３０】
また、本発明の端末監視装置は、
監視すべき被監視装置の状態を、Ｗｅｂサーバを介して、集中監視するための集中監視システムに用いられる端末監視装置であって、
前記被監視装置と通信手段を介して接続された集中監視装置のＷｅｂサーバと通信手段を介して接続された端末監視装置であり、
前記Ｗｅｂサーバが、
前記Ｗｅｂサーバ上で作動し、被監視装置からの被監視装置の動作情報データを受信するとともに、受信した動作情報データに基づいて、被監視装置の動作状態を制御するＷｅｂアプリケーションと、
前記Ｗｅｂサーバ上で作動し、前記Ｗｅｂアプリケーションが、受信した動作情報データに異常が発生したと判断した場合に、前記端末監視装置に対して、異常発生通知を行う異常発生通知プログラムとを備え、
前記端末監視装置が、端末監視装置上で端末監視装置のブラウザとは別個に作動する端末監視プログラムを備えており、
前記端末監視プログラムが、前記異常発生通知プログラムから異常発生通知を受信した際に、前記Ｗｅｂサーバの異常発生通知プログラムからの異常発生通知に応じて、端末監視装置に対して所定の動作を行うよう指示するように構成したことを特徴とする。
【００３１】
このように構成することによって、Ｗｅｂサーバが、Ｗｅｂサーバ上で作動し、ＷｅｂサーバのＷｅｂアプリケーションが、受信した動作情報データに異常が発生したと判断した場合に、端末監視装置に対して、異常発生通知を行う異常発生通知プログラムを備えている。
【００３２】
そして、端末監視装置が、端末監視装置上で端末監視装置のブラウザとは別個に作動する端末監視プログラムを備えており、端末監視プログラムが、Ｗｅｂサーバの異常発生通知プログラムから異常発生通知を受信した際に、Ｗｅｂサーバの異常発生通知プログラムからの異常発生通知に応じて、端末監視装置に対して所定の動作を行うよう指示するように構成されている。
【００３３】
従って、Ｗｅｂサーバ側では、Ｗｅｂアプリケーションとは別個の異常発生通知プログラムを備えており、クライアント側である端末監視装置に、Ｗｅｂアプリケーションを操作するブラウザとは別に、バックグラウンドで動作する常駐プログラムである端末監視プログラムを備えていることになる。
【００３４】
これにより、ＷｅｂサーバのＷｅｂアプリケーションが、受信した動作情報データに異常が発生したと判断した場合に、クライアント側である端末監視装置の端末監視プログラムは、ブラウザではないため、セキュリティの問題も発生することなく、クライアント側である端末監視装置に対して直接制御が可能である。
【００３５】
これにより、Ｗｅｂサーバの異常発生通知プログラムからの異常発生通知に応じて、端末監視装置に対して、例えば、端末監視装置のオペレーティングシステムのスリープ状態の解除、アラームなど警報音の鳴動、警告画面の表示を行うよう指示することができ、操作者が警報に気づかないといった問題も発生しない。
【００３６】
また、本発明によれば、ＷｅｂサーバにＷｅｂアプリケーションを備えているので、Ｗｅｂサーバとクライアント側である端末監視装置との間で、オペレーティングシステムやハードウェア構成が異なる環境からでも同一アプリケーションが利用可能であるとともに、クライアント側である端末監視装置のオペレーティングシステムやハードウェアに対する直接操作が可能である。
【００３７】
さらに、本発明によれば、Ｗｅｂサーバ側には、Ｗｅｂアプリケーションとは別個の異常発生通知プログラムを備えるとともに、クライアント側である端末監視装置には、ブラウザではない端末監視プログラムを備えているので、ハードウェアやオペレーティングシステムに依存する部分と、その他の部分を分離できるため、複数種類のクライアント環境に対応する際にも、環境別に用意しなければならない部分を省略でき、開発コストを低減することができる。
【００３８】
また、本発明では、前記端末監視プログラムが、所定の間隔で異常発生通知プログラムに対して、異常発生通知があるか否かを問い合わせて、異常発生通知プログラムに対して異常発生通知要求を行うポーリングを実施するように構成され、
前記端末監視プログラムが、前記ポーリングの結果、前記異常発生通知プログラムから異常発生通知を受信した際に、前記Ｗｅｂサーバの異常発生通知プログラムからの異常発生通知に応じて、端末監視装置に対して所定の動作を行うよう指示するように構成したことを特徴とする。
【００３９】
このように構成することによって、Ｗｅｂサーバ側のＷｅｂアプリケーションは、クライアント側である端末監視装置に対して、例えば、端末監視装置のオペレーティングシステムのスリープ状態の解除などの直接操作が必要な場合、その要求をＷｅｂサーバ側の異常発生通知プログラムに通知する。
【００４０】
一方、クライアント側である端末監視装置の端末監視プログラムは、Ｗｅｂサーバ側の異常発生通知プログラムに対して、定期的に異常発生通知要求を行うポーリングを実施する。
【００４１】
そして、ポーリングの結果、Ｗｅｂサーバ側のＷｅｂアプリケーションからの要求が異常発生通知プログラムに届いていた場合、すなわち、端末監視装置の端末監視プログラムが、異常発生通知プログラムから異常発生通知を受信した際に、Ｗｅｂサーバの異常発生通知プログラムからの異常発生通知に応じて、例えば、端末監視装置のオペレーティングシステムのスリープ状態の解除、アラームなど警報音の鳴動、警告画面の表示を行うよう指示することができ、操作者が警報に気づかないといった問題も発生しない。
【００４２】
また、本発明は、前記被監視装置が、空気調和機であることを特徴とする。
【００４３】
このように、本発明は、例えば、エアコン、冷凍庫、冷蔵庫、園芸用のビニールハウス、ショーケースなどの空気調和機に好適に適用することができる。
【発明の効果】
【００４４】
本発明によれば、Ｗｅｂサーバが、Ｗｅｂサーバ上で作動し、ＷｅｂサーバのＷｅｂアプリケーションが、受信した動作情報データに異常が発生したと判断した場合に、端末監視装置に対して、異常発生通知を行う異常発生通知プログラムを備えている。
【００４５】
そして、端末監視装置が、端末監視装置上で端末監視装置のブラウザとは別個に作動する端末監視プログラムを備えており、端末監視プログラムが、Ｗｅｂサーバの異常発生通知プログラムから異常発生通知を受信した際に、Ｗｅｂサーバの異常発生通知プログラムからの異常発生通知に応じて、端末監視装置に対して所定の動作を行うよう指示するように構成されている。
【００４６】
従って、Ｗｅｂサーバ側では、Ｗｅｂアプリケーションとは別個の異常発生通知プログラムを備えており、クライアント側である端末監視装置に、Ｗｅｂアプリケーションを操作するブラウザとは別に、バックグラウンドで動作する常駐プログラムである端末監視プログラムを備えていることになる。
【００４７】
これにより、ＷｅｂサーバのＷｅｂアプリケーションが、受信した動作情報データに異常が発生したと判断した場合に、クライアント側である端末監視装置の端末監視プログラムは、ブラウザではないため、セキュリティの問題も発生することなく、クライアント側である端末監視装置に対して直接制御が可能である。
【００４８】
加えて、Ｗｅｂサーバの異常発生通知プログラムからの異常発生通知に応じて、端末監視装置に対して、例えば、端末監視装置のオペレーティングシステムのスリープ状態の解除、アラームなど警報音の鳴動、警告画面の表示を行うよう指示することができ、操作者が警報に気づかないといった問題も発生しない。
【００４９】
また、本発明によれば、ＷｅｂサーバにＷｅｂアプリケーションを備えているので、Ｗｅｂサーバとクライアント側である端末監視装置との間で、オペレーティングシステムやハードウェア構成が異なる環境からでも同一アプリケーションが利用可能であるとともに、クライアント側である端末監視装置のオペレーティングシステムやハードウェアに対する直接操作が可能である。
【００５０】
さらに、本発明によれば、Ｗｅｂサーバ側には、Ｗｅｂアプリケーションとは別個の異常発生通知プログラムを備えるとともに、クライアント側である端末監視装置には、ブラウザではない端末監視プログラムを備えているので、ハードウェアやオペレーティングシステムに依存する部分と、その他の部分を分離できるため、複数種類のクライアント環境に対応する際にも、環境別に用意しなければならない部分を省略でき、開発コストを低減することができる。
【図面の簡単な説明】
【００５１】
【図１】図１は、本発明の集中監視システムを、空気調和機に適用する場合の課題を説明する概略図である。
【図２】図２は、本発明の集中監視システムのブロック図である。
【図３】図３は、本発明の集中監視システムを説明する概略図である。
【図４】図４は、本発明の集中監視システムのシーケンスを示すフローチャートである。
【図５】図５は、従来のＷｅｂサーバ２００とクライアント側端末２０２との関係を説明する概略図である。
【発明を実施するための形態】
【００５２】
以下、本発明の実施の形態（実施例）を図面に基づいてより詳細に説明する。
【００５３】
図１は、本発明の集中監視システムを、空気調和機に適用する場合の課題を説明する概略図、図２は、本発明の集中監視システムのブロック図、図３は、本発明の集中監視システムを説明する概略図、図４は、本発明の集中監視システムのシーケンスを示すフローチャートである。
【００５４】
本出願人は、既に、特許文献４（特開２００６−２９７６９号公報）において、冷却装置の集中監視システムを提案している。
【００５５】
すなわち、この冷却装置の集中監視システム１００は、例えば、ショーケースなど複数の冷蔵庫などの冷却装置１０２についてそれぞれ、庫内温度の制御や除霜制御を行うとともに、その運転状況などの情報を、上位監視機器１０６に通知するための電子コントローラ１０４を備えている。
【００５６】
この上位監視機器１０６、電子コントローラ１０４からの情報に基づいて、設定温度などを制御して、電子コントローラ１０４を介して、冷却装置１０２についてそれぞれ制御するように構成されている。
【００５７】
このような冷却装置の集中監視システム１００について、図１に示したように、ネットワークを介して、集中監視システムを構築する場合について説明する。
【００５８】
すなわち、ネットワークを介して、集中監視システムを構築する場合は、図１に示したように、冷却装置１０２の動作状況のデータを、上位監視機器１０６を介して、Ｗｅｂサーバ１０８に送るように構成する。また、動作状況監視や操作指示は、例えば、ＬＡＮ、インターネットなどのネットワーク１１０を介して、クライアント側である、例えば、タブレットなどの端末監視装置１１２に内蔵のブラウザから、Ｗｅｂサーバ１０８にアクセスするように構成する。
【００５９】
この場合、クライアント側であるタブレットなどの端末監視装置１１２は、バッテリー残量の維持や液晶画面の経年劣化防止のため、通常は一定時間操作しないと、スリープ（休止）状態となって画面表示がＯＦＦになるように構成されている。
【００６０】
ところで、冷却装置１０２に異常が生じた場合、集中監視システム１００は、利用者に対して速やかに異常発生を通知する必要があるが、このように端末監視装置１１２がスリープ状態となっている場合、画面表示がＯＦＦになっているため、警報の発生が見逃されるおそれがある。
【００６１】
この場合、スリープ状態のＯＮ／ＯＦＦは、端末監視装置１１２のオペレーティングシステムが管理する処理であって、端末監視装置１１２のブラウザは、図５で説明したように、自律的にスリープ状態のＯＮ／ＯＦＦ制御をすることができない。
【００６２】
すなわち、Ｗｅｂサーバ２００のＷｅｂアプリケーション２０４側が、クライアント側端末２０２のブラウザ２０８を介して、クライアント側端末２０２のハードウェアやＯＳ（オペレーティングシステム）２０８を直接操作することは、セキュリティの問題から許可されていない。
【００６３】
例えば、Ｗｅｂサーバ２００のＷｅｂアプリケーション２０４上で警報表示を行っても、クライアント側端末２０２がスリープ状態にある場合には、クライアント側端末２０２では、画面が表示されず、操作者が警報に気づかない可能性がある。
【００６４】
このため、本発明では、以下のように、集中監視システム１０を構築している。
【００６５】
図２に示したように、本発明の集中監視システム１０は、集中監視装置１２を備えており、集中監視装置１２には、通信手段を構成する通信ユニット基板１４が備えられている。
【００６６】
そして、この通信ユニット基板１４は、例えば、インバータ冷凍機１６ａ、ショーケースなど複数の冷蔵庫などの冷却装置１６ｂ、エアコンなどの空調機システム１６ｃなどの被監視装置１６から、例えば、通信ケーブルなどの通信手段１８を介して、これらの被監視装置１６のそれぞれの動作状況のデータを受信するように構成されている。
【００６７】
また、集中監視装置１２には、組み込みＰＣであるＷｅｂサーバ２０を備えており、被監視装置１６からの被監視装置１６の動作情報データを、通信手段であるサーバ通信２２を介して受信するとともに、受信した動作情報データに基づいて、被監視装置１６の動作状態を制御するように構成されている。
【００６８】
さらに、図２に示したように、集中監視システム１０は、集中監視装置１２のＷｅｂサーバ２０と、例えば、ネットワーク２４ａ、インターネット網２４ｂ、移動体通信事業者２４ｅによる通信（インターネット網２４ｂにも接続されている）などの通信手段２４を介して接続された端末監視装置２６を備えている。
【００６９】
すなわち、図２に示したように、例えば、無線ルータ２４ｃを介して無線ＬＡＮで接続されたタブレット型パーソナルコンピュータ（ＰＣ）２６ａ、ネットワーク２４ａを介して接続されたパーソナルコンピュータ（ＰＣ）２６ｂ、ルータ２４ｄを介して、インターネット網２４ｂで接続された遠隔パーソナルコンピュータ（ＰＣ）２６ｃなどのクライアント側端末を構成する端末監視装置２６を備えている。
【００７０】
また、移動体通信事業者２５による通信（インターネット網２４ｂにも接続されている）を介して接続されたスマートフォン２６ｄ、携帯電話２６ｅなどのクライアント側端末を構成する端末監視装置２６を備えている。
【００７１】
なお、本発明の集中監視システム１０では、後述するように、Ｗｅｂサーバ２０やＣＧＩの通信、すなわち、上位レイヤプロトコル（ＯＳＩ基本参照モデルのレイヤ７）を使用するものであって、このように、端末監視装置２６にスマートフォン２６ｄ、携帯電話２６ｅが含まれるものである。
すなわち、本発明の集中監視システム１０では、特許文献３の通信制御方法のような、通信プロトコルの下位レイヤ（ＯＳＩ基本参照モデルのレイヤ２またはレイヤ３）での制御とは異なるものである。
【００７２】
そして、図３に示したように、Ｗｅｂサーバ２０には、Ｗｅｂサーバ２０上で作動し、被監視装置１６からの被監視装置１６の動作情報データを受信するとともに、受信した動作情報データに基づいて、被監視装置１６の動作状態を制御するＷｅｂアプリケーション２８が備えられている。
【００７３】
すなわち、図３に示したように、Ｗｅｂサーバ２０と端末監視装置２６とは、Ｗｅｂサーバ２０のＷｅｂアプリケーション２８で作成されたＨＴＭＬデータを、例えば、ネットワーク、インターネットなどの通信手段２４を介して、端末監視装置２６に備えられたブラウザ３０で表示するなどにより使用するように構成されている。
【００７４】
また、本発明の集中監視システム１０では、Ｗｅｂサーバ２０には、Ｗｅｂサーバ２０上で作動し、Ｗｅｂアプリケーション２８が、受信した動作情報データに異常が発生したと判断した場合に、端末監視装置２６に対して、異常発生通知を行う親監視プログラムを構成する異常発生通知プログラム３２が備えられている。
【００７５】
この場合、異常発生通知プログラム３２は、例えば、Ｗｅｂ上で機能するプログラムの一種で、Ｗｅｂサーバがクライアント（Ｗｅｂブラウザ）からの要求に応じて動的なプログラムを実行させるためのＣＧＩ（Common Gateway Interface）を用いたプログラムから構成することができる。
【００７６】
また、図３に示したように、端末監視装置２６には、端末監視装置２６上で端末監視装置２６のオペレーティングシステム３４とは別個に作動する子監視プログラムを構成する端末監視プログラム３６が備えられている。
【００７７】
この端末監視プログラムが、Ｗｅｂサーバ２０の異常発生通知プログラム３２から異常発生通知を受信した際に、Ｗｅｂサーバ２０の異常発生通知プログラム３２からの異常発生通知に応じて、端末監視プログラム３６に対して、例えば、端末監視装置２６のオペレーティングシステム３４のスリープ状態の解除、アラームなど警報音の鳴動、警告画面の表示を行うよう指示するように構成されている。
【００７８】
すなわち、端末監視装置２６の端末監視プログラム３６が、所定の間隔でＷｅｂサーバ２０の異常発生通知プログラム３２に対して、異常発生通知があるか否かを問い合わせて、異常発生通知プログラム３２に対して異常発生通知要求を行うポーリングを実施するように構成されている。
【００７９】
そして、端末監視装置２６の端末監視プログラムが、このようなポーリングの結果、異常発生通知プログラムから異常発生通知を受信した際に、Ｗｅｂサーバ２０の異常発生通知プログラム３２からの異常発生通知に応じて、端末監視装置２６に対して、上記の所定の動作を行うよう指示するように構成されている。
【００８０】
なお、このような異常発生通知としては、被監視装置１６の種類に応じて適宜設定されるものであって、特に限定されるものではない。例えば、この実施例のように、本発明の集中監視システム１０を、例えば、ショーケースなど複数の冷蔵庫などの冷却装置などの空気調和機に適用する場合には、一定時間を超えて設定温度を上回る庫内温度が続いた際の上限警報、一定時間を超えて設定温度を下回る庫内温度が続いた際の下限警報、着霜警報などの異常発生通知とすることができる。
【００８１】
以下に、このように構成される本発明の集中監視システム１０の作動について、図４に示したシーケンスを示すフローチャートに基づいて、詳細に説明する。
【００８２】
図４に示したように、ステップＳ１、ステップＳ２、ステップＳ３に示したように、端末監視装置２６の端末監視プログラム３６は、所定の間隔でＷｅｂサーバ２０の異常発生通知プログラム３２に対して、異常発生通知があるか否かを問い合わせを行う。
【００８３】
これに対して、Ｗｅｂサーバ２０のＷｅｂアプリケーション２８が、被監視装置１６から受信した被監視装置１６の動作情報データに異常がない場合には、Ｗｅｂアプリケーション２８は、Ｗｅｂサーバ２０の異常発生通知プログラム３２に対して、異常通知を行っていない。
【００８４】
この場合には、図４のステップＳ４、ステップＳ５に示したように、Ｗｅｂサーバ２０の異常発生通知プログラム３２から、端末監視装置２６の端末監視プログラム３６に対して、異常発生の通知が行われず、異常が発生していないとの通知がなされる。
【００８５】
そして、ステップＳ６に示したように、Ｗｅｂサーバ２０のＷｅｂアプリケーション２８が、被監視装置１６から受信した被監視装置１６の動作情報データに異常がある場合には、ステップＳ７に示したように、Ｗｅｂアプリケーション２８は、Ｗｅｂサーバ２０上での警報画面表示の準備を行う。
【００８６】
次に、ステップＳ８に示したように、Ｗｅｂサーバ２０のＷｅｂアプリケーション２８は、Ｗｅｂサーバ２０の異常発生通知プログラム３２に対して、異常発生通知を行う。
【００８７】
そして、ステップＳ３に示したように、端末監視装置２６の端末監視プログラム３６は、Ｗｅｂサーバ２０の異常発生通知プログラム３２に対して、異常発生通知があるか否かの問い合わせを行う。
【００８８】
このステップＳ３の問い合わせを行った際には、Ｗｅｂサーバ２０の異常発生通知プログラム３２には、既にＷｅｂアプリケーション２８から、異常発生通知が行われているので、ステップＳ９に示したように、Ｗｅｂサーバ２０の異常発生通知プログラム３２は、端末監視装置２６の端末監視プログラム３６に対して、異常発生通知を行う。
【００８９】
これにより、ステップＳ１０に示したように、端末監視装置２６の端末監視プログラム３６が、このようなポーリングの結果、異常発生通知プログラム３２から異常発生通知を受信した際に、Ｗｅｂサーバ２０の異常発生通知プログラム３２からの異常発生通知に応じて、端末監視装置２６に対して、例えば、端末監視装置２６のオペレーティングシステム３４のスリープ状態の解除、アラームなど警報音の鳴動、警告画面の表示などの所定の動作を行うよう指示する。
【００９０】
また、図示しないが、このステップＳ１０に示した端末監視装置２６の所定の動作に応じて、端末監視装置２６側から所定の操作を行うことによって、Ｗｅｂサーバ２０のＷｅｂアプリケーション２８を介して、被監視装置１６の動作状態を制御するように構成されている。
【００９１】
このように構成することによって、Ｗｅｂサーバ２０が、Ｗｅｂサーバ２０上で作動し、Ｗｅｂサーバ２０のＷｅｂアプリケーション２８が、受信した動作情報データに異常が発生したと判断した場合に、端末監視装置２６に対して、異常発生通知を行う異常発生通知プログラム３２を備えている。
【００９２】
そして、端末監視装置２６が、端末監視装置２６上で端末監視装置２６のブラウザ３０とは別個に作動する端末監視プログラム３６を備えており、端末監視プログラム３６が、Ｗｅｂサーバ２０の異常発生通知プログラム３２から異常発生通知を受信した際に、Ｗｅｂサーバ２０の異常発生通知プログラム３２からの異常発生通知に応じて、端末監視装置２６に対して所定の動作を行うよう指示するように構成されている。
【００９３】
従って、Ｗｅｂサーバ２０側では、Ｗｅｂアプリケーション２８とは別個の異常発生通知プログラム３２を備えており、クライアント側である端末監視装置２６に、Ｗｅｂアプリケーション２８を操作するブラウザとは別に、バックグラウンドで動作する常駐プログラムである端末監視プログラム３６を備えていることになる。
【００９４】
これにより、Ｗｅｂサーバ２０のＷｅｂアプリケーション２８が、受信した動作情報データに異常が発生したと判断した場合に、クライアント側である端末監視装置２６の端末監視プログラム３６は、ブラウザではないため、セキュリティの問題も発生することなく、クライアント側である端末監視装置２６に対して直接制御が可能である。
【００９５】
加えて、Ｗｅｂサーバ２０の異常発生通知プログラム３２からの異常発生通知に応じて、端末監視装置２６に対して、例えば、端末監視装置２６のオペレーティングシステム３４のスリープ状態の解除、アラームなど警報音の鳴動、警告画面の表示を行うよう指示することができ、操作者が警報に気づかないといった問題も発生しない。
【００９６】
すなわち、ポーリングの結果、Ｗｅｂサーバ２０側のＷｅｂアプリケーション２８からの要求が異常発生通知プログラム３２に届いていた場合、すなわち、端末監視装置２６の端末監視プログラム３６が、異常発生通知プログラム３２から異常発生通知を受信した際に、Ｗｅｂサーバ２０の異常発生通知プログラム３２からの異常発生通知に応じて、例えば、端末監視装置２６のオペレーティングシステム３４のスリープ状態の解除、アラームなど警報音の鳴動、警告画面の表示を行うよう指示することができ、操作者が警報に気づかないといった問題も発生しない。
【００９７】
また、本発明によれば、Ｗｅｂサーバ２０にＷｅｂアプリケーション２８を備えているので、Ｗｅｂサーバ２０とクライアント側である端末監視装置２６との間で、オペレーティングシステム３４やハードウェア構成が異なる環境からでも同一アプリケーションが利用可能であるとともに、クライアント側である端末監視装置２６のオペレーティングシステム３４やハードウェアに対する直接操作が可能である。
【００９８】
さらに、本発明によれば、Ｗｅｂサーバ２０側には、Ｗｅｂアプリケーション２８とは別個の異常発生通知プログラム３２を備えるとともに、クライアント側である端末監視装置２６には、ブラウザではない端末監視プログラム３６を備えているので、ハードウェアやオペレーティングシステムに依存する部分と、その他の部分を分離できるため、複数種類のクライアント環境に対応する際にも、環境別に用意しなければならない部分を省略でき、開発コストを低減することができる。
【００９９】
以上、本発明の好ましい実施の態様を説明してきたが、本発明はこれに限定されることはなく、例えば、上記の実施例では、図２に示したように、本発明の集中監視システム１０において、集中監視装置１２は、通信手段を構成する通信ユニット基板１４と、組み込みＰＣであるＷｅｂサーバ２０を備えるように構成したが、図１に示したように、集中監視装置１２を、Ｗｅｂサーバ１０８のみから構成して、別途、上位監視機器１０６を設けるようにすることも可能である。
【０１００】
また、上記実施例では、例えば、エアコン、冷凍庫、冷蔵庫、園芸用のビニールハウス、ショーケースなどの空気調和機に適用した実施例について説明したが、その他にも、石油プラント、化学プラント、ガス設備、電気事業設備などにおける各種機械装置など、監視すべき被監視装置の状態を、Ｗｅｂサーバを介して、集中監視するための集中監視システムに適用することができるなど本発明の目的を逸脱しない範囲で種々の変更が可能である。
【産業上の利用可能性】
【０１０１】
本発明は、例えば、エアコン、冷凍庫、冷蔵庫、園芸用のビニールハウス、ショーケースなどの空気調和機（以下、単に「空気調和機」と言う）、石油プラント、化学プラント、ガス設備、電気事業設備などにおける各種機械装置など、監視すべき被監視装置の状態を、Ｗｅｂサーバを介して、集中監視するための集中監視システム、そのための集中監視装置、ならびに、端末監視装置に適用することができる。
【符号の説明】
【０１０２】
１０    集中監視システム
１２    集中監視装置
１４    通信ユニット基板
１６    被監視装置
１６ａ    インバータ冷凍機
１６ｂ    冷却装置
１６ｃ    空調機システム
１８    通信手段
２０    Ｗｅｂサーバ
２２    サーバ通信
２４    通信手段
２４ａ    ネットワーク
２４ｂ    インターネット網
２４ｃ    無線ルータ
２４ｄ    ルータ
２４ｅ    移動体通信事業者
２６    端末監視装置
２６ａ    タブレット型パーソナルコンピュータ（ＰＣ）
２６ｂ    パーソナルコンピュータ（ＰＣ）
２６ｃ    遠隔パーソナルコンピュータ（ＰＣ）
２６ｄ    スマートフォン
２６ｅ    携帯電話
２８    Ｗｅｂアプリケーション
３０    ブラウザ
３２    異常発生通知プログラム
３４    オペレーティングシステム
３６    端末監視プログラム
１００    集中監視システム
１０２    冷却装置
１０４    電子コントローラ
１０６    上位監視機器
１０８    Ｗｅｂサーバ
１１０    ネットワーク
１１２    端末監視装置
２００    Ｗｅｂサーバ
２０２    クライアント側端末
２０４    Ｗｅｂアプリケーション
２０６    通信手段
２０８    ブラウザ
２１０    ハードウェアやＯＳ（オペレーティングシステム）
【図１】
2015204040.tif 000003
【図２】
2015204040.tif 000004
【図３】
2015204040.tif 000005
【図４】
2015204040.tif 000006
【図５】
2015204040.tif 000007